(57)【特許請求の範囲】
【請求項１】
支柱の側面に取付けられた支持金具に横ビームが支持されると共に、支持金具に反射装置が取付けられ、前記支持金具は、相互に隙間を開けて連結される２個の横ビームの端部に両端部がそれぞれ挿入されるインナースリーブと、前記隙間においてインナースリーブを覆うと共に支柱の側面に取付けられる取付金具とからなるものであって、前記インナースリーブを覆う取付金具の先端がアール形状に加工され、前記反射装置は前記取付金具の下面に取付ボルトにより取付けられる取付部と、その取付部の一側縁から下方に折曲され再帰反射体が取付けられた反射部とを備え、且つ前記取付部の先端部に、前記取付金具の先端のアール形状に沿うように、前記アール形状のアールに対応した曲率で湾曲させた係合部が形成され、前記取付ボルトの締結時に、前記取付金具の下面に取付けられる前記取付部の先端部が前記取付金具のアール形状と係合して、取付部の回動を阻止するようになされていることを特徴とする防護柵。
【請求項２】
前記再帰反射体は、互いに平行な上辺と下辺が上下方向に延びる正面視横台形状で形成され、且つ前記上辺と下辺とにおいて、上辺よりも長さの長い下辺が支柱寄りに配置されると共に、支柱に対して下辺よりも外方に配置される上辺が横ビームから突出しない幅で形成されていることを特徴とする請求項１に記載の防護柵。
【発明の詳細な説明】
【技術分野】
【０００１】
本発明は、道路の路側や歩車道境界等に設置され、夜間における視認性の向上を図るための反射装置が取付けられた防護柵に関するものである。
【背景技術】
【０００２】
従来、反射装置が取付けられた防護柵については、例えば特許文献１には、以下のような防護柵が開示されている。
すなわち、この防護柵は支柱の頭部上に反射装置である視線誘導標が取付けられたものであって、該視線誘導標は、防護柵の支柱の頭部に嵌め込まれるキャップと、前記キャップの上面上に設けられた板状本体と、前記本体に取付けられた視線誘導用反射体とからなり、そして前記本体は、板幅方向に折れ曲がっており、この折れ曲がり方向と略直交する両側面の上部に反射体が取付けられているものである。
【０００３】
【特許文献１】特開平０９−００３８４１号公報
【発明の開示】
【発明が解決しようとする課題】
【０００４】
しかしながら、上述の如き防護柵に取付けられた視線誘導標においては、防護柵の支柱の頭部に嵌め込まれるキャップの上面上に視線誘導用反射体が取付けられているため、既設の防護柵に取付ける場合、既設のキャップを視線誘導標の取付けられているキャップに取り代える必要があり、施工に時間を要していた。
【０００５】
また、視線誘導標が支柱の頭部上に取付けられ、車両の通行位置から離れているため、視認性が問題となり、キャップの嵌め込み位置の角度調整が狂うと、車両からのヘッドライトをうまく再帰反射せず、視認性が低下することもあるため、施工に熟練を要していた。
【０００６】
そこで本発明は上記の如き問題点を解消し、反射装置の取付けが容易であり、効率的な視認性が期待できる防護柵を提供せんとするものである。
【課題を解決するための手段】
【０００７】
上記目的を達成するために、本発明は次のような構成としている。すなわち、本発明に係る防護柵は、支柱の側面に取付けられた支持金具に横ビームが支持されると共に、支持金具に反射装置が取付けられ、前記支持金具は、相互に隙間を開けて連結される２個の横ビームの端部に両端部がそれぞれ挿入されるインナースリーブと、前記隙間においてインナースリーブを覆うと共に支柱の側面に取付けられる取付金具とからなるものであって、前記インナースリーブを覆う取付金具の先端がアール形状に加工され、前記反射装置は前記取付金具の下面に取付ボルトにより取付けられる取付部と、その取付部の一側縁から下方に折曲され再帰反射体が取付けられた反射部とを備え、且つ前記取付部の先端部に、前記取付金具の先端のアール形状に沿うように、前記アール形状のアールに対応した曲率で湾曲させた係合部が形成され、前記取付ボルトの締結時に、前記取付金具の下面に取付けられる前記取付部の先端部が前記取付金具のアール形状と係合して、取付部の回動を阻止するようになされていることを特徴とするものである。
【発明の効果】
【０００８】
本発明によれば、反射装置の取付けは取付ボルトを締結して行うことから、防護柵への反射装置の取付けが容易であり、且つ反射装置の取付部の回動を阻止する係合部が形成されていることから、細かい角度調整等は不要であり、熟練を要することなく取付けることができる。
【０００９】
本発明において、前記再帰反射体は、互いに平行な上辺と下辺が上下方向に延びる正面視横台形状で形成され、且つ前記上辺と下辺とにおいて、上辺よりも長さの長い下辺が支柱寄りに配置されると共に、支柱に対して下辺よりも外方に配置される上辺が横ビームから突出しない幅で形成されているようにしてもよい。かようにすれば、車両等が接触して破損しないよう横ビームから突出しない幅で再帰反射体を形成する場合、円形状に形成したものに比べ、再帰反射する面積を大きくすることができ、視認性を向上させることができるためである。更には、車両の進行方向を指し示す方向の台形状であるので、優れた視線誘導効果も期待できる。
【発明を実施するための最良の形態】
【００１２】
本発明に係る実施の形態について、図面に基づき以下に具体的に説明する。
図１は本発明に係る防護柵の実施の一形態を示す正面図であり、図２は図１の要部を拡大した図面であって、（イ）は部分断面図、（ロ）は正面図であり、図３（イ）は反射装置の一部切欠の上面図、（ロ）は正面図、（ハ）は右側面図、（ニ）は左側面図であり、図４は反射装置を上面から見た説明図である。
【００１３】
Ｐは道路等に設置される防護柵であって、１は地面に一定の間隔をおいて立設された支柱、２は支柱１の側面に取付けられた支持金具、３は支持金具２に架設された３段の横ビームであり、支持金具２は相互に隙間を開けて連結される２個の横ビーム３の端部に両端部がそれぞれ挿入されるインナースリーブ２１と、前記隙間においてインナースリーブ２１を覆うと共に支柱１の側面に取付けられ先端がアール形状に加工された取付金具２２とから構成され、取付金具２２に締着された１個の取付ボルト４は、インナースリーブ２１の中央部を貫通しており、横ビーム３とインナースリーブ２１は、インナースリーブ２１を貫通する取付ボルト４の左右に、２個ずつの固定ボルト５により締着されている。これらは、防護柵Ｐに必要な所定の強度を満足するよう、金属材料で形成されている。
【００１４】
６は、３段の横ビーム３の最下段の横ビーム３を支持する支持金具２を構成する取付金具２２の下面に取付けられた反射装置であり、該反射装置６は前記取付金具２２に取付ボルト４により取付られる取付部６１と、その取付部６１の一側縁から下方に折曲され再帰反射体６２が取付けられた反射部６３とを備え、前記取付部６１の先端部に取付金具２２と係合して、取付ボルト４の締結時に取付部６１の回動を阻止する係合部６４が形成されている。
【００１５】
そして、この反射装置６を取付金具２２に取付ける際には、取付部６１に形成された取付孔６５に、前記取付ボルト４を挿通させて締着させるのであるが、先端がアール形状に形成された取付金具２２の外形に沿うように、取付部６１の先端部を前記アールに対応した曲率で湾曲させた係合部６４としており、取付ボルト４を締結する際、前記係合部６４が取付金具２２先端のアール形状に沿うことにより、反射装置６は回動することなく簡単に取付金具２２に取付けることができるようになされている。尚、取付孔６５の形状は、丸形状でもよいが、係合部６４を取付金具２２先端のアール形状に沿わせやすいように、係合部６４に向かって長孔形状となされてもよく、また、取付ボルト４を外さないで反射装置６が取付けられるように、取付ボルト４のボルト径よりやや大きな幅でＵ字状に取付部６１を係合部６４に沿って切欠いた切欠となしてもよい。
【００１６】
また、反射部６３は、取付部６１に対して５〜１５°の角度で折曲されており、そして取付部６１が支持金具２に取付けられる際には、反射部６３の再帰反射体の向きａが横ビーム３の延設方向ｂに対して５〜１５°の角度θで取付けられるようになされている。これは、車道を走行する車両の方向に再帰反射体６２を向けることによって、車両のヘッドライトの光を効率的に反射させるためである。
【００１７】
再帰反射体６２としては、ポリエチレン樹脂、ＡＢＳ樹脂等の熱可塑性合成樹脂の成形体にガラスビーズを半埋込状態に埋設して配設したガラスビーズ埋設反射体が好適に用いられるが、特に限定されたものではなく、レンズ反射体や、多数の反射素子群を形成しその反射素子群の裏面にアルミニウムのような金属の薄膜を金属蒸着法等により積層して反射性能を高めたプリズム状のものや、ガラスビーズやプリズム反射体を表面に配置した反射シート等を適宜用いることができる。
【００１８】
また、本形態において、再帰反射体６２を正面視台形状に形成しているが、これは、車両等が接触して破損しないよう横ビームから突出しない幅で再帰反射体６２を形成する場合、円形状に形成したものに比べ、再帰反射する面積を大きくすることができ、視認性を向上させることができるためである。更には、車両の進行方向を指し示す方向の台形状とすれば、視線誘導効果も期待できる。
【図面の簡単な説明】
【００１９】
【図１】本発明に係る防護柵の実施の一形態を示す正面図である。
【図２】図１の要部を拡大した図面であって、（イ）は部分断面図、（ロ）は正面図である。
【図３】（イ）は反射装置の一部切欠の上面図、（ロ）は正面図、（ハ）は右側面図、（ニ）は左側面図である。
【図４】反射装置を上面から見た説明図である。
【符号の説明】
【００２０】
Ｐ      防護柵
１      支柱
２      支持金具
２１    インナースリーブ
２２    取付金具
３      横ビーム
４      取付ボルト
５      固定ボルト
６      反射装置
６１    取付部
６２    再帰反射体
６３    反射部
６４    係合部
６５    取付孔
【図１】
0004652209.tif 000002
【図２】
0004652209.tif 000003
【図３】
0004652209.tif 000004
【図４】
0004652209.tif 000005